(57)【要約】【課題】　本発明は帽子類のクラウン部内側に装着することにより、着帽した際、頭とクラウン部との間に通気孔を形成し、外気を帽子内部に取り込むことにより梅雨、猛暑での着帽時の帽子内部の温度上昇、湿度上昇を緩和するものである。それにより、頭部の温度上昇、汗、蒸れ、においの発生を緩和し、スポーツ着帽時での集中力アップ、作業着帽時での能率アップに助力する。また、高温時における日射病、熱射病の予防に助力する。基材を構成する素材も非常に安価で加工しやすく、低価格で提供できる。【解決手段】　薄板1ａと、所定の方向に配備されたリブ1ｂにより立体的に構成され、内部に空間を維持して通気性を有する段ボール形状の構造体であって、耐水性を有する素材からなり、帽子類のクラウン部内側6に装着可能で、着帽に支障をきたさない形状且つ大きさに形成した基材ｌの一面側に粘着剤層2を設ける。または、その他の着脱具を設ける。【選択図】　図１
2004003111.tif 000002
【特許請求の範囲】
【請求項１】
薄板と、所定の方向に配備されたリブにより立体的に構成され、内部に空間を維持して通気性を有する段ボール形状の構造体であって、耐水性を有する素材からなり、帽子類のクラウン部内側に装着可能で、着帽に支障をきたさない形状且つ大きさに形成したものを基材として用いたことを特徴とする帽子の通気パッド。
【請求項２】
請求項1記載の基材の一面側に粘着剤層を設けたことを特徴とする帽子の通気パッド。
【請求項３】
請求項1記載の基材の一面側に着脱具を設けたことを特徴とする帽子の通気パッド。
【請求項４】
基材の、頭に接する面側に、吸汗材を設けたことを特徴とする請求項１、請求項２、請求項３記載の帽子の通気パッド。
【請求項５】
一部に消臭具を設けたことを特徴とする請求項1、請求項2、請求項3、請求項４記載の帽子の通気パッド。
【請求項６】
　請求項１乃至5のいずれかに記載の帽子の通気パッドを装着したことを特徴とする帽子。
【発明の詳細な説明】
【技術分野】
【０００１】
　本発明は帽子類のクラウン部内側に装着することにより、着帽した際、頭とクラウン部との間に通気孔を形成し、外気を帽子内部に取り込むことにより、梅雨、猛暑での着帽時の帽子内部の温度上昇、湿度上昇を緩和するものである。
　それにより、頭部の温度上昇、汗、蒸れを緩和し、スポーツ着帽時での集中力アップ、作業着帽時での能率アップに助力する。また、高温時における日射病、熱射病の予防に助力する。
基材を形成する素材も非常に安価で加工しやすく、低価格にて提供できる帽子の通気パッドおよび帽子に関するものである。
【背景技術】
【０００２】
　従来にも通気構造を有す帽子はあったが、高価で、また、どの帽子にも付け替えができるというものではなく、帽子の構造も複雑となり、扱いにくく、しかも値段の割には効果が乏しいものが多かった。
　また、メッシュ帯を利用した通気具も提案されているが、使用する際、帽子の形状を損なったり、フィット感を損なったり、さらには帽子着脱の際にメッシュ帯そのものの形状が損なわれるおそれがあった。
【発明の開示】
【発明が解決しようとする課題】
【０００３】
　本発明は、上記した点を考慮したもので、従来の問題点、帽子の形状の維持、フィット感、耐久性を兼ね備え、さらに、安価に提供することができ、簡単に装着し、取り外しができるものである。
【課題を解決するための手段】
【０００４】
薄板と、所定の方向に配備されたリブにより立体的に構成され、内部に空間を維持して通気性を有する段ボール形状の構造体であって、耐水性を有する素材からなり、帽子類のクラウン部内側に装着可能で、着帽に支障をきたさない形状且つ大きさに形成した基材の一面側に粘着剤層を設ける。または、基材の一面側に着脱具を設ける。
また、基材の、頭と接する面において、すべり具合やあたり具合、汗や脂の対策として、シート状の吸汗材を設けることも考えられる。
また、においの対策として、本発明である帽子の通気パッドの、着帽に支障をきたさない箇所にシート状、または、パック状の消臭具を設けることも考えられる。
また、芳香剤、抗菌剤を含有したシート、または、パックを用いるか、または、上記消臭具と併用して、においを緩和することも考えられる。
【発明の効果】
【０００５】
　本発明である帽子の通気パッドは、上記のように構成したので、帽子のクラウン部内側6の下端付近に、粘着剤層２、または、着脱具７a、7b、8a、8bを介して装着することにより、着帽した際に頭とクラウン部との間に通気孔1ｃを形成する。それにより、外気を帽子等の内部に取り込むことができ、内部の温度上昇、湿度上昇を緩和する。汗や脂のにおいも緩和する。
　また、利点として、この帽子の通気パッドの基材1を構成する素材は非常に安価であり、加工も簡単で、容易に製品化することが可能である。
さらに、ほとんどの帽子、キャップ型、ハット型にも使用することができ、必要がなくなれば取り外すこともできる。また、帽子４の前部、後部に装着すれば、いっそうの効果を上げることができる。使用方法を好みに応じて変化させることができるのである。
【発明を実施するための最良の形態】
【０００６】
本発明である帽子の通気パッドは、帽子類のクラウン部内側６に装着可能で、着帽に支障をきたさない形状且つ大きさで、内部に空間を維持し、通気性を確保する段ボール形状の構造を有する樹脂製段ボール、耐水加工、防水加工を施した段ボール紙等を用いる。例えば、宇部日東化成株式会社製　ダンプレート（登録商標）を基材1として用いることが有効である。以下、実施例を、図面を参照しながら説明する。
【実施例１】
【０００７】
図１で示す実施例１は、基材1の一面側に粘着剤層2を設けたものである。
【実施例２】
【０００８】
図４で示す実施例２は、装着、取り外しを繰り返し可能とするため、基材１の一面側に着脱具（面ファスナ）7aを、クラウン部内側６に着脱具（面ファスナ）7bを設けるものである。例えば、株式会社クラレ製　マジックテープ（登録商標）等を着脱具として設けることが考えられる。
【実施例３】
【０００９】
図５で示す実施例３は、装着、取り外しを繰り返し可能とするため、基材１の一面側に着脱具（ホック）8aを、クラウン部内側６に着脱具（ホック）８bを着脱具として設けるものである。その他にクリップ、マグネット等を着脱具として用いることも考えられる。
【実施例４】
【００１０】
図６で示す実施例４は、基材１の、頭に接する面側に、汗を吸収するための吸汗材3、例えば、布、スポンジ、ウレタン、吸水性高分子吸収体等からなるシートを設けるものである。また、すべり具合やあたり具合を考慮して、それに応じた素材を設けることも考えられる。
【実施例５】
【００１１】
図７で示す実施例５は、汗や脂のにおいを取り除くため、活性炭、炭等の脱臭材を含有する消臭具9を、頭に接する面側に、吸汗材３と重ねて設けるものである。パック形状の消臭具であれば、着帽に支障をきたさない箇所、例えば、頭頂部付近の空間を利用して設けることも考えられる。また、においを緩和するために芳香剤、抗菌剤を含有したシートまたはパック等を用いることも考えられる。
【実施例６】
【００１２】
図８で示す実施例６は、基材１を帽子の内部形状に合わせて形成し、基材１の一面側の薄板1aに切れ目5を施すことにより基材１の柔軟性を向上させたものである。
【実施例７】
【００１３】
図９で示す実施例７は、基材１を帽子の内部形状に合わせて形成し、基材１の一面側または両面側の薄板1aに通気孔１ｄを施すことにより、頭に接する部分の通気を向上させたものである。
【実施例８】
【００１４】
図１０で示す実施例８は、基材１を帽子の内部形状に合わせて形成し、基材１の一面側または吸汗材３に、文字を記した実施例の側面図である。これは、頭に接する部分に「根性」「努力」「一球入魂」「合格」「平常心」「GUTS」「NEVER GIVE UP」等の意志、決意、目標を示す言葉、格言、金言、名前等の文字、または、マーク、記号等を記入するものである。また、記入するスペースを記入しやすい素材にて設け、使用者が自由に書き込むことができるようにすることも考えられる。
【実施例９】
【００１５】
図１１で示す実施例９は、基材１において、一面側のみに薄板１aを形成した段ボール形状の実施例である。
【実施例１０】
【００１６】
図１２で示す実施例１０は、基材１において、薄板１aの一面側を分割して形成し、柔軟性を持たせた段ボール形状の実施例である。
【００１７】
その他、実施例として、基材１に医療用磁気治療器を用いて頭部の血行を促進させたり、マイナスイオンを発生させる素材、トルマリンを含有する素材、ゲルマニウムを含有する素材、その他、健康、頭部、毛髪に有効であると考えられる素材等を含有する素材をシート状、またはパック状にして設けるなど実施例は様々である。
【００１８】
この発明である帽子の通気パッドは、帽子のみならず、作業用ヘルメット、オートバイ用ヘルメット等にも装着でき、場合によっては帽子に装着したときと同様の効果を得ることができる。また、サンバイザーにも装着が可能で、ヘアバンド部分の通気に効果を期待できる。さらにバンダナにも装着が可能で、通気性を向上させる効果を期待できる。また、ヘアバンドにも装着が可能で、頭に接する部分の通気性を向上させる効果を期待できる。
【図面の簡単な説明】
【００１９】
【図１】本発明である帽子の通気パッドの実施例ｌの粘着剤層2側の斜視図である。
【図２】本発明である帽子の通気パッドの実施例1の基材1の部分断面の斜視図である。
【図３】本発明である帽子の通気パッドおよび帽子の実施例ｌの使用例を示す帽子4の下面図である。
【図４】本発明である帽子の通気パッドにおいて、着脱具（面ファスナ）７a、7bを着脱具とする実施例２の斜視図である。
【図５】本発明である帽子の通気パッドにおいて、着脱具（ホック）8a、8bを着脱具とする実施例３の斜視図である。
【図６】本発明である帽子の通気パッドにおいて、吸汗材3を設けた実施例４を示す斜視図である。
【図７】本発明である帽子の通気パッドの基材1の、頭に接する面側に、消臭具9を設け、その上に重ねて吸汗材3を設けた実施例５の斜視図である。
【図８】本発明である帽子の通気パッドの基材１を帽子の形状に合わせて形成し、基材1の一面側に切れ目５を設けて柔軟性を持たせる工夫を施した実施例６の側面図である。
【図９】本発明である帽子の通気パッドの基材１を帽子の形状に合わせて形成し、基材1の一面側もしくは両面側に通気孔１dを設けて汗の蒸発を促す工夫を施した実施例７の側面図である。
【図１０】本発明である帽子の通気パッドの基材１を、帽子の形状に合わせて形成し、頭に接する面側に設けた吸汗材３に、文字を記した実施例８の側面図である。
【図１１】本発明である帽子の通気パッドの基材１において、一面側のみに薄板１aを形成した段ボール形状の実施例９の部分斜視図である。
【図１２】本発明である帽子の通気パッドの基材１において、薄板１aの一面側を分割して形成し、柔軟性を持たせた段ボール形状の実施例１０の部分斜視図である。
【符号の説明】
【００２０】
１　  　 基材
１a      薄板
１b      リブ
１c　　　通気孔
１d　　　通気孔
２　　　 粘着剤層
３　 　　吸汗材
４　　 　帽子
５　　　 切れ目
６　　　 クラウン部内側
７a      着脱具（面ファスナ）
７b　　  着脱具（面ファスナ）
８a　　　着脱具（ホック）
８b      着脱具（ホック）
９　　　 消臭具
【図１】
2004003111.tif 000003
【図２】
2004003111.tif 000004
【図３】
2004003111.tif 000005
【図４】
2004003111.tif 000006
【図５】
2004003111.tif 000007
【図６】
2004003111.tif 000008
【図７】
2004003111.tif 000009
【図８】
2004003111.tif 000010
【図９】
2004003111.tif 000011
【図１０】
2004003111.tif 000012
【図１１】
2004003111.tif 000013
【図１２】
2004003111.tif 000014